(57)【要約】【課題】  本発明はデジタル字幕放送で社会的な責任を果たすとともに、放送会社の負担が軽減され、かつビジネスチャンスにすることができるデジタル字幕放送およびデジタル字幕放送用モニタの表示方法を得るにある。【解決手段】  字幕送出制御ＰＣを備えるデジタル字幕放送において、該デジタル字幕放送を表示させる字幕放送用モニタに、字幕提供のスポンサーを表示する字幕提供スポンサー表示領域を設けたデジタル字幕放送を提供することを目的としている。【選択図】  図１
2011244375.tif 000002
【特許請求の範囲】
【請求項１】
字幕送出制御ＰＣを備えるデジタル字幕放送において、該デジタル字幕放送を表示させる字幕放送用モニタに字幕表示のスポンサー名等を表示する字幕提供スポンサー表示領域を設けたことを特徴とするデジタル字幕放送。
【請求項２】
字幕表示は字幕表示領域に表示された文字とルビ表示領域に表示されたルビとで構成されていることを特徴とする請求項１記載のデジタル字幕放送。
【請求項３】
字幕提供スポンサー表示領域に表示される字幕提供スポンサー名は静止字幕であることを特徴とする請求項１記載のデジタル字幕放送。
【請求項４】
字幕送出制御ＰＣには字幕表示にルビとスポンサーを表示する機能が含まれていることを特徴とする請求項１記載のデジタル字幕放送。
【請求項５】
字幕提供のスポンサー表示は字幕表示と同様に視聴者がリモコン操作で字幕のオン、オフの選択ができるために番組本体提供部分には全く影響を及ぼすことがなく、個別のオプションとして機能させることができることを特徴とする請求項１記載のデジタル字幕放送。
【請求項６】
字幕放送用モニタには字幕表示領域、および字幕提供のスポンサーを表示する字幕提供スポンサー表示領域が設けられていることを特徴とするデジタル字幕放送用モニタの表示方法。
【請求項７】
字幕表示領域の近傍にはルビ表示領域が設けられていることを特徴とする請求項５記載のデジタル字幕放送用モニタの表示方法。
【発明の詳細な説明】
【技術分野】
【０００１】
本発明はデジタル字幕放送およびデジタル字幕放送用モニタの表示方法に関する。
【背景技術】
【０００２】
従来のデジタル字幕放送は、デジタル放送受信用モニタに映像、音声、そしてクローズドキャプションによる字幕を表示して行なってきた。
しかしながら今日まで、字幕放送が視聴できないアナログテレビ社会が長く続いてきたことに加えて、字幕放送視聴者の絶対数の少なさや、テレビ会社にとっての「字幕放送」は、「直接収入増に結びつかない上に、新たなコスト負担増」の関係等で、なかなか広く普及するに至っていないのが現実である。
【０００３】
今後の高齢化社会、ノーマライゼーション等の観点からも、この問題の解決は喫緊の課題となっている。
【先行技術文献】
【特許文献】
【０００４】
【特許文献１】再表２００６／０４８９６３号公報
【特許文献２】特開２００３−２５９３１２号公報
【発明の概要】
【発明が解決しようとする課題】
【０００５】
本発明は以上のような従来の具合により、デジタル字幕放送で社会的な責任を果たすとともに、放送会社の負担が軽減され、かつビジネスチャンスにすることができるデジタル字幕放送およびデジタル字幕放送用モニタの表示方法を提供することを目的としている。
【０００６】
本発明の前記ならびにそのほかの目的と新規な特徴は次の説明を添付図面と照らし合わせて読むと、より完全に明らかになるであろう。
【０００７】
ただし、図面はもっぱら解説のためのものであって、本発明の技術的範囲を限定するものではない。
【課題を解決するための手段】
【０００８】
上記目的を達成するために、本発明は字幕送出制御ＰＣを備えるデジタル字幕放送において、該デジタル字幕放送を表示させる字幕放送用モニタに字幕提供のスポンサー名等を表示する字幕提供スポンサー表示領域を設けたデジタル字幕放送を提供することを目的としている。
【０００９】
また、本発明の字幕放送用モニタには字幕表示領域、および字幕提供のスポンサーを表示する字幕提供スポンサー表示領域が設けられたデジタル字幕放送用モニタの表示方法を提供することを目的としている。
【発明の効果】
【００１０】
以上の説明から明らかなように、本発明にあっては次に列挙する効果が得られる。
（１）請求項１により、デジタル字幕放送の字幕提供スポンサー表示領域に、字幕提供のスポンサー名等を表示することができる。
したがって、デジタル字幕放送にかかる費用を字幕提供のスポンサーに負担してもらうことができ、放送会社の負担軽減ができ、デジタル字幕放送がしやすくなる。    
（２）前記（１） により、字幕表示にスポンサー名等を表示することで、スポンサー会社は社会貢献していることを知らせることができ、会社のイメージ向上を図ることができる。
（３）前記（１） により、字幕表示にスポンサー名等を表示することにより、新しいビジネスチャンスを作り出すことができる。
（４）請求項２も前記（１）〜（３）と同様な効果が得られるとともに、ルビにより字幕表示をより読みやすくすることができる。
（５）請求項３も前記（１）〜（３）と同様な効果が得られるとともに、字幕提供スポンサー名は静止字幕にすることで、スポンサー名等の認知度を高めることができる。
（６）請求項４も前記（１）〜（３）と同様な効果が得られるとともに、字幕送出制御ＰＣを字幕表示にルビとスポンサーを表示する機能を有するものに代えることで実施することができ、容易に実施することができる。
（７）請求項５も前記（１）〜（３）と同様な効果が得られるとともに、視聴者がリモコン操作で字幕のオン、オフの選択ができる。
（８）請求項６も前記（１）〜（３）と同様な効果が得られる。
【図面の簡単な説明】
【００１１】
【図１】本発明を実施するための第１の形態の概略説明図。
【図２】本発明を実施するための第１の形態の字幕送出制御ＰＣの概略ブロック図。
【図３】本発明を実施するための第１の形態のＳＤＩモニタおよび視聴者モニタの説明図。
【図４】本発明を実施するための第２の形態の概略説明図。
【図５】本発明を実施するための第２の形態のＳＤＩモニタおよび視聴者モニタの説明図。
【図６】本発明を実施するための第３の形態の概略説明図。
【図７】本発明を実施するための第３の形態のＳＤＩモニタおよび視聴者モニタの説明図。
【発明を実施するための形態】
【００１２】
以下、図面に示す本発明を実施するための形態により、本発明を詳細に説明する。
【００１３】
図１ないし図３に示す本発明を実施するための第１の形態において、１は本発明のデジタル字幕放送で、このデジタル字幕放送１はＨＤ−ＳＤＩの映像信号と音声信号が入力されるとともに、字幕入力システムＷに接続された字幕送出制御ＰＣ３からの字幕データがリアルタイムでも入力される字幕インサーター４、この字幕インサーター４からのＨＤ−ＳＤＩの映像信号、音声信号、字幕データが入力されるＡＮＣデータモニタ装置５、このＡＮＣデータモニタ装置５からのＨＤ−ＳＤＩの映像信号、音声信号、字幕データが入力される字幕放送用モニタとしてのＳＤＩモニタ６、字幕インサーター４からのＨＤ−ＳＤＩの映像信号、音声信号、字幕データが入力され、電波あるいはケーブルで送信する放送設備Ｈとで構成された放送局２側と、この放送局２側の放送設備Ｈからの送信を受信する字幕放送用モニタとしての視聴者モニターＭとで構成されている。
【００１４】
前記字幕送出制御ＰＣ３は字幕表示へルビを表示する機能７と、字幕表示にスポンサー名を静止字幕で表示するスポンサー名表示ソフト８を有するものが使用されている。
【００１５】
このため、ＳＤＩモニタ６および視聴者モニターＭには映像９、音声１０、字幕表示領域１１に表示された字幕１２、この字幕表示領域１１の近傍に設けられたルビ表示領域１３に表示されたルビ１４、字幕提供のスポンサーを表示する字幕提供スポンサー表示領域１５に静止表示されたスポンサー名１６あるいはスポンサーのマーク等とが表示される。
【００１６】
上記構成のデジタル字幕放送１は字幕インサーター４からのＨＤ−ＳＤＩの映像信号、音声信号、字幕データをＡＮＣデータモニタ装置５を介してＳＤＩモニター６あるいは放送設備Ｈからの送信を受信して、視聴者モニターＭで、映像９、音声１０、字幕表示領域１１に字幕１２、ルビ表示領域１３にルビ１４および、字幕提供スポンサー表示領域１５に静止表示されるスポンサー名１６とが表示される。    
【００１７】
[発明を実施するための異なる形態]
次に、図４ないし図７に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００１８】
図４および図５に示す本発明を実施するための第２の形態において、前記本発明を実施するための第１の形態と主に異なる点は、ＳＤＩモニタ６および視聴者モニターＭの上部位置に字幕提供スポンサー表示領域１５Ａを設けた点で、このような字幕提供スポンサー表示領域１５Ａには字幕提供○○○○と字幕提供スポンサー名１６Ａを表示させるデジタル字幕放送１Ａにすることにより、前記本発明を実施するための第１の形態と同様な作用効果が得られる。
【００１９】
図６および図７に示す本発明を実施するための第３の形態において、前記本発明を実施するための第１の形態と主に異なる点は、字幕表示領域１１の字幕１２、ルビ表示領域１３のルビ１４および、字幕提供スポンサー表示領域１５のスポンサー名１６を表示したり、消したりすることができるリモコン１７を備える視聴者モニターＭを用いた点で、このようなデジタル字幕放送１Ｂにしても前記本発明を実施するための第1の形態と同様な作用効果が得られる。
【００２０】
なお、前記本発明の各実施の形態では字幕表示にルビを表示する機能を有する字幕送出制御ＰＣを用いるものについて説明したが、本発明はこれに限らず、字幕表示にルビを表示しない字幕送出制御ＰＣを用いてもよい。
【産業上の利用可能性】
【００２１】
本発明はデジタル字幕放送を行なう産業およびデジタル字幕放送用モニタの表示を行う産業で利用される。
【符号の説明】
【００２２】
１、１Ａ、１Ｂ：デジタル字幕放送、
２：放送局、
３：字幕送出制御ＰＣ、    ４：字幕インサーター、
５：ＡＮＣデータモニタ装置、  ６：ＳＤＩモニタ、
７：ルビを表示する機能、    ８：スポンサー名表示ソフト、
９：映像、        １０：音声、
１１：字幕表示領域、    １２：字幕、
１３：ルビ表示領域、    １４：ルビ、
１５、１５Ａ：字幕提供スポンサー表示領域、
１６：スポンサー名、            Ｗ：字幕入力システム、
Ｍ：視聴者モニター、            Ｈ：放送設備。
【図１】
2011244375.tif 000003
【図２】
2011244375.tif 000004
【図３】
2011244375.tif 000005
【図４】
2011244375.tif 000006
【図５】
2011244375.tif 000007
【図６】
2011244375.tif 000008
【図７】
2011244375.tif 000009